(57)【要約】【課題】装置本体内の限られたユニット収容スペースを減ずることなく、装置本体内の前面開口内に配置された硬貨払出ユニットに設けた硬貨補充口から手作業により硬貨を補充する際の安全性を高めた金銭取扱い装置を提供する。【解決手段】前面開口１Ａを有し内部に少なくとも硬貨払出ユニット１５を備えた装置本体１と、前面開口を横方向に開閉するために側部端縁を装置本体によって軸支されたドア２と、を備え、硬貨払出ユニットが硬貨補充口１６及び硬貨払出部１７を備えたユニット本体１８を備えた金銭取扱い装置において、硬貨補充口に連通した投入硬貨ガイド部材２０を硬貨払出ユニットに対して回動自在に取り付け、投入硬貨ガイド部材は、装置本体の前面開口から外側に突出した硬貨投入姿勢と、該前面開口内に退避した収納姿勢との間を回動自在に構成されている。【選択図】図１
2007140706.tif 000002
【特許請求の範囲】
【請求項１】
前面に開口を有し内部に少なくとも硬貨払出ユニットを備えた装置本体と、該装置本体の前面開口を横方向に開閉するために側部端縁を装置本体によって軸支されたドアと、を備え、前記硬貨払出ユニットが硬貨補充口及び硬貨払出部を備えた金銭取扱い装置において、
前記硬貨補充口に連通した投入硬貨ガイド部材を硬貨払出ユニットに対して回動自在に取り付け、前記投入硬貨ガイド部材は、前記装置本体の前面開口から外側に突出した硬貨投入姿勢と、該前面開口内に退避した収納姿勢との間を回動自在に構成されていることを特徴とする金銭取扱い装置。
【請求項２】
上記ドアの内側面には、該ドアを閉止する過程で前記硬貨投入姿勢にある前記投入硬貨ガイド部材に当接してこれを内方に押し込んで前記収納姿勢に退避させるための作動部材が配置されていることを特徴とする請求項１に記載の金銭取扱い装置。
【発明の詳細な説明】
【技術分野】
【０００１】
本発明は、自動販売機、両替機、金銭払出装置、精算機等の金銭取扱い装置の改良に関し、特に装置本体内の前面開口内に配置された硬貨払出ユニットに対して硬貨を補充する際の安全性を高めた金銭取扱い装置に関する。
【背景技術】
【０００２】
セルフ給油方式を採用したガソリンスタンドでは、更なるコスト低減を図るために複数の給油機に対して、単数又は少数の精算機を別構成にして設置したシステムを採用することが多い。この給油システムにおいては、利用者が給油機の金銭投入口に金銭を投入してから給油操作を行った際に釣銭がある場合においても、給油機自体からは釣銭は払い出されず、釣銭に関する情報をバーコードにより記録したレシートを給油機から発行する。釣銭の払出しは、給油機から離間した箇所に別途設置された精算機により行われる。
利用者は精算機のレシート挿入口内にレシートを挿入して、挿入口内に配置されたバーコードリーダからの検知用のレーザ光をレシートのバーコード部分に照射させることによって釣銭に関する情報の読取りを受ける。精算機側では、レシート上のバーコードから読取った釣銭情報に基づいて払出口に釣銭を払い出す。このように給油機毎に精算機を設けずに、複数の給油機に共通する一台、或いは少数の精算機によって釣銭を払い出すように構成することによって、給油機の装置構成を簡略化すると共に管理手数を低減して、コストダウンを図ることが可能となる（特許文献１、２）。
図３（ａ）は精算機の外観図（正面図）であり、この精算機は、装置本体１の前面に開閉自在なドア（外装体）２を備え、このドア２の前面にはレシート挿入口３、紙幣払出口４、硬貨払出口５、払出し金額等の表示部６等が装備されている。
図３（ｂ）はドア２を開放した時に前面開口１Ａから露出する装置本体１の内部構成を示しており、レシート挿入口３の直上に相当する位置にはバーコードリーダ１０が配置され、紙幣払出口４の内側に相当する位置には紙幣払出口に払出し用の紙幣を供給する紙幣ユニット（金銭払出装置）１１が配置され、硬貨払出口５の内側に相当する位置には硬貨払出口に払出し用の硬貨を供給する硬貨払出ユニット（金銭払出装置）１５が配置されている。硬貨払出ユニット１５は、硬貨補充口１６及び硬貨払出部１７を有したユニット本体１８を備えている。
硬貨補充口１６はユニット本体１８の上面に設けられた単なる開口であり、その近傍には硬貨を搬送するチェーンや、チェーンを駆動するギヤ類が近接して配置されているため、作業員が手に保持した硬貨を硬貨補充口から投入する場合、指などがチェーンやギヤ等の可動部品に当たって怪我を負う等の事故が発生する可能性がある。
このような危険性を回避するために、硬貨補充口１６から延びる長尺の補充路を増設することにより可動部品から離間した安全な位置からの硬貨投入を可能とする構成が提案されている。しかし、長尺な補充路を設けると限られた装置本体内のスペースが占有されることとなり、スペース効率が低下して他のユニット類の配置に係るレイアウトの自由を奪うこととなる。
【特許文献１】特開平８−１１９３９６号公報
【特許文献２】特開２００５−４７５５８公報
【発明の開示】
【発明が解決しようとする課題】
【０００３】
上記のように従来の金銭取扱い装置に装備される硬貨払出ユニット１５にあっては、ユニット本体の上面に単なる開口からなる硬貨補充口１６が形成されており、この硬貨補充口内に手で保持した硬貨を直接投入する場合には直近に配置されたチェーン、ギヤ等の可動部品に手が干渉して怪我を負う危険があった。
本発明は上記に鑑みてなされたものであり、装置本体内の限られたユニット収容スペースを減じることなく、装置本体内の前面開口内に配置された硬貨払出ユニットに設けた硬貨補充口から手作業により硬貨を補充する際の安全性を高めた金銭取扱い装置を提供することを目的としている。
【課題を解決するための手段】
【０００４】
上記目的を達成するため、請求項１の発明は、前面に開口を有し内部に少なくとも硬貨払出ユニットを備えた装置本体と、該装置本体の前面開口を横方向に開閉するために側部端縁を装置本体によって軸支されたドアと、を備え、前記硬貨払出ユニットが硬貨補充口及び硬貨払出部を備えた金銭取扱い装置において、前記硬貨補充口に連通した投入硬貨ガイド部材を硬貨払出ユニットに対して回動自在に取り付け、前記投入硬貨ガイド部材は、前記装置本体の前面開口から外側に突出した硬貨投入姿勢と、該前面開口内に退避した収納姿勢との間を回動自在に構成されていることを特徴とする。
請求項２の発明は、請求項１において、上記ドアの内側面には、該ドアを閉止する過程で前記硬貨投入姿勢にある前記投入硬貨ガイド部材に当接してこれを内方に押し込んで前記収納姿勢に退避させるための作動部材が配置されていることを特徴とする。
【発明の効果】
【０００５】
以上のように本発明によれば、硬貨補充口に連通した投入硬貨ガイド部材を硬貨払出ユニットに対して回動自在に取り付け、投入硬貨ガイド部材は、装置本体の前面開口から外側に突出した硬貨投入姿勢と、前面開口内に退避した収納姿勢との間を回動自在に構成されているので、装置本体内の限られたユニット収容スペースを減ずることなく、装置本体内の前面開口内に配置された硬貨払出ユニットに設けた硬貨補充口から手作業により硬貨を補充する際の安全性を高めることができる。
【発明を実施するための最良の形態】
【０００６】
以下、本発明を図面に示した実施の形態により詳細に説明する。
図１（ａ）及び（ｂ）は本発明の一実施形態に係る金銭取扱い装置の正面図、及びドアを開放した状態を示す図である。また、図２（ａ）及び（ｂ）は硬貨払出ユニットの詳細に構成を示す側面図である。
なお、金銭取扱い装置の全体構成については図３を併せて参照し、同一部分には同一符号を付して説明する。
本発明の金銭取扱い装置は、前面に開口１Ａを有した筐体内に紙幣ユニット１１、硬貨払出ユニット１５等を収容した装置本体１と、装置本体１の前面開口１Ａを横方向に開閉するために側部端縁を装置本体によって軸支されたドア２と、を備えている。
硬貨払出ユニット１５は、硬貨補充口１６及び硬貨払出部１７を有したユニット本体１８を備えている。
本発明では、硬貨補充口１６に連通した投入硬貨ガイド部材２０をユニット本体１８に対して回動自在に取り付けている。この投入硬貨ガイド部材２０は、装置本体１の前面開口１Ａから外側に突出した硬貨投入姿勢と、前面開口内に退避した収納姿勢との間を内外方向へ回動自在にヒンジ部１９によって軸支されている。
このため、装置本体内の限られたユニット収容スペースを減ずることなく、装置本体内の前面開口内に配置された硬貨払出ユニットに設けた硬貨補充口から手作業により硬貨を補充する際の安全性を高めることができる。
【０００７】
図２（ａ）（ｂ）に示す硬貨払出ユニット１５は、ユニット本体１８の前部に設けた硬貨補充口１６から投入された硬貨を受け入れる補充タンク２５と、補充タンク２５内の硬貨を掻き上げて搬送経路２６に供給し矢印方向へ搬送させる図示しない硬貨搬送手段（チェーンやギヤから成る）と、搬送経路２６を搬送される硬貨を金種別に金庫２７内に落下させる図示しない選別手段と、を備えている。
各金庫２７は硬貨払出部１７と連通しており、図示しない制御手段からの指令に基づいて金庫内の硬貨を硬貨払出部１７を経由して硬貨払出口５に払出す。
投入硬貨ガイド部材２０は図２（ａ）中に実線で示した硬貨投入姿勢と、図２（ｂ）中に実線で示した収納姿勢との間を回動自在に構成されているため、（ａ）に示したドア開放時の硬貨投入姿勢においては、投入硬貨ガイド部材２０の上端部（投入口）は装置本体の前面開口１Ａよりも外側に突出しており、ユニット本体１８側に設けたチェーンやギヤなどの可動部品から十分に離間した位置にある。従って、硬貨投入姿勢にある投入硬貨ガイド部材２０の投入口に対して手に保持した硬貨を投入する作業は安全な作業となる。
【０００８】
更に本発明では硬貨投入姿勢にある硬貨ガイド部材２０を収納姿勢に戻す作業を個別に手作業によって行う煩雑さを回避するために、ドア２を閉止する動作に連動して硬貨ガイド部材２０を収納姿勢に戻すことができるように構成している。
即ち、ドア２の内側面には、ドアを閉止する過程で硬貨投入姿勢にある投入硬貨ガイド部材２０に当接してこれを内方に押し込んで収納姿勢に退避させるための作動部材３０が配置されている。この作動部材３０は傾斜板３１を備え、ドア２が閉止する過程で傾斜板３１が投入硬貨ガイド部材２０に当接して徐々にこれを収納位置に押し込むように構成されている。
従って、投入硬貨ガイド部材２０を引き出した状態で硬貨の投入を完了した後は、単にドア２を閉めるだけで投入硬貨ガイド部材２０の収納が完了することとなり、操作性が向上する。
なお、投入硬貨ガイド部材２０を図示しないバネにより常時硬貨投入姿勢となるように付勢しておくことにより、ドア２を開放した際に直ちに投入硬貨ガイド部材２０を突出した状態とすることができる。
なお、本発明の金銭取扱い装置は、ガソリンスタンドに設置される精算機ばかりでなく、金融機関のＡＴＭや券売機や自販機等の金銭取扱い装置一般に適用することができる。
【図面の簡単な説明】
【０００９】
【図１】（ａ）及び（ｂ）は本発明の一実施形態に係る金銭取扱い装置の正面図、及びドアを開放した状態を示す図。
【図２】（ａ）及び（ｂ）は硬貨払出ユニットの詳細な構成を示す側面図。
【図３】（ａ）は従来の精算機の外観図（正面図）、（ｂ）はドアを開放した時に筐体の前面開口から露出する装置本体の内部構成を示す図。
【符号の説明】
【００１０】
１…装置本体、１Ａ…前面開口、２…ドア、３…レシート挿入口、４…紙幣払出口、５…硬貨払出口、６…表示部、１０…バーコードリーダ、１１…紙幣ユニット、１５…硬貨払出ユニット、１６…硬貨補充口、１７…硬貨払出部、１８…ユニット本体、１９…ヒンジ部、２０…硬貨ガイド部材、２５…補充タンク、２６…搬送経路、２７…金庫、３０…作動部材、３１…傾斜板。
【図１】
2007140706.tif 000003
【図２】
2007140706.tif 000004
【図３】
2007140706.tif 000005